(57)【要約】      （修正有）【課題】印刷対象画像を印刷して印刷シートとし、他の印刷シート上に重ねて裏面から光を当てたとき、実物を見ているかのような印象を人々に与え、且つ、その印象が記憶に残りやすい、印刷用シートを提供する。また、裏面から光を照射したとき、実物を見ているかのような印象を人々に与え、且つ、その印象が人々の記憶に残りやすい、ディスプレイ用印刷物を提供する。【解決手段】インクジェット印刷されて光源パネル上に保持されて使用される印刷用シートであって、透明シートの上に不織布シートが積層されており、該不織布シート上にインク受容層が設けられている印刷用シート、及び、インクジェット像が形成された印刷シートが複数枚積層されており、少なくとも最上層に位置する印刷シートであるディスプレイ用印刷物。【選択図】図１
2019089247.tif 000002
【特許請求の範囲】
【請求項１】
インクジェット印刷されて光源パネル上に保持して使用される、印刷用シートであって、
透明シートの上に不織布シートが積層されており、該不織布シート上にインク受容層が設けられていることを特徴とする印刷用シート。
【請求項２】
前記不織布シートが、熱による全面接着によって芯鞘繊維同士が結合した不織布シートである、請求項１に記載の印刷用シート。
【請求項３】
前記芯鞘繊維が、ポリプロピレンを芯材とし且つポリエチレンを鞘材とする芯鞘繊維である、請求項２に記載の印刷用シート。
【請求項４】
前記不織布シートが、湿式不織布シートである、請求項３に記載の印刷用シート。
【請求項５】
前記インク受容層に、半固化状の漆喰前駆体が含まれている、請求項１〜４の何れかに記載の印刷用シート。
【請求項６】
光源パネル上に保持されて使用されるディスプレイ用印刷物において、
印刷用シートの印刷面にインクジェット像が形成された印刷シートを複数枚有し、
該複数枚の印刷シートが、隣接する印刷シート同士で印刷面と裏面が対面するように積層され、最下層に位置する印刷シートの裏面が前記光源パネル側に向いており、
少なくとも最上層に位置する印刷シートが、請求項１〜５の何れかに記載の印刷用シートを用いた印刷シートであることを特徴とするディスプレイ用印刷物。
【請求項７】
最下層に位置する印刷シートに形成されたインクジェット像の明度が最も高く、最上層に位置する印刷シートに形成されたインクジェット像の明度が最も低い、請求項６に記載のディスプレイ用印刷物。
【発明の詳細な説明】
【技術分野】
【０００１】
本発明は、インクジェット印刷されて光源パネル上に保持して使用される印刷用シート、および、該印刷用シートを用いたディスプレイ用印刷物に関する。
【背景技術】
【０００２】
従来、化粧品売場では、コルトン等の印刷物の裏面から光を照射する内照式ディスプレイが広く使用されてきた。内照式ディスプレイは、光量が多く視認性に優れ、人々の注意を惹きやすい。
【０００３】
しかしながら、近年、光が脳に及ぼす影響の研究が進み、内照式ディスプレイでは情報が人々の印象に残り辛いことが分かってきた。詳述すると、非特許文献１で説明されているように、内照式ディスプレイを見るとき、人々の目には主に透過光が届き、外照式ディスプレイや照明を備えていないディスプレイを見るときには反射光が届く。人間の脳、特に脳内情報を理解する領域である前頭前皮質は、透過光を通じて情報を取り入れたとき、反射光を通じて取り入れたときに比べて反応が弱くなる。そのため、内照式ディスプレイに掲載する情報は人々の記憶に残りにくい。
【０００４】
また、内照式ディスプレイは、裏面にある照明の影響により、印刷像が平面的で無機質な印象を与え易い傾向にあり、これが前述した欠点を助長していた。
【０００５】
こうした問題を解決する手段として、本出願人は、先に、特願２０１７−０８００２３（以下、先願と呼ぶことがある。）において、光源パネル上に保持して使用されるディスプレイ用印刷物であって、印刷面にインクジェット像が形成された印刷シートを複数枚有し、該複数枚の印刷シートが、隣接する印刷シート同士で印刷面と裏面が対面するように積層されており、最下層に位置する印刷シートの裏面が前記光源パネル側に向いているディスプレイ用印刷物を提案した。先願のディスプレイ用印刷物においては、印刷像のうち明度の高い部分では表側まで多くの光が透過し、明度が低い部分ほど光が透過しづらい。そのため、見る者の目に、明度の高い部分からは透過光と反射光の両方が入り、明度の低い部分からは反射光が入り、総合的に多くの反射光と少しの透過光が入ることとなる。よって、脳が活性化し、掲載情報が見る者の印象に残りやすい。
【０００６】
更に、先願のディスプレイ用印刷物は、脳の活性化以外に印刷像を魅力的にする効果も有している。例えば、光の透過により、明るい色の部分は本来の色の明るさ（裏面から光を照射していない状態での色の明るさ）を超えて視認され、印刷物全体のダイナミックレンジ（輝度差）が広がり、遠近感や立体感が強調される。また、印刷シートを重ねているので、表側から入射する自然光や屋内照明等の光と、裏側からの照射光の両方が複雑な挙動を示し、深みがあって情緒的な印刷像を形成できる。更にまた、見る者の目に反射光と透過光の両方が入ることにより、バックライトの存在を意識させない。
【０００７】
このように先願のディスプレイ用印刷物は、様々な観点で掲載内容が人々の印象に残りやすくなっている。しかし、化粧品業界等では、化粧を施したモデルの顔写真を使った内照式ディスプレイに適用でき、上記の長所はそのままに、実物を見ているかのような印象をより強く与える印刷像を形成して商品の魅力を効果的に顧客に訴えかけることができるよう、改良が望まれている。
【先行技術文献】
【非特許文献】
【０００８】
【非特許文献１】トッパン・フォームズ株式会社、“「紙媒体の方がディスプレーより理解できる」ダイレクトメールに関する脳科学実験で確認”、［ｏｎｌｉｎｅ］、２０１３年７月２３日、インターネット（ｈｔｔｐ：／／ｗｗｗ．ｔｏｐｐａｎ−ｆ．ｃｏ．ｊｐ／ｎｅｗｓ／２０１３／０７２３．ｈｔｍｌ）
【発明の概要】
【発明が解決しようとする課題】
【０００９】
従って、本発明の目的は、モデルの顔写真等の印刷対象画像をインクジェット印刷して印刷シートとし、他の印刷シート上に重ねて裏面から光を照射したとき、まるで実物を見ているかのような印象を人々に与えることができ、且つ、その印象が人々の記憶に残りやすい、印刷用シートを提供することである。
【００１０】
本発明の他の目的は、裏面から光を照射したとき、まるで実物を見ているかのような印象を人々に与えることができ、且つ、その印象が人々の記憶に残りやすい、ディスプレイ用印刷物を提供することである。
【課題を解決するための手段】
【００１１】
本発明によれば、インクジェット印刷されて光源パネル上に保持して使用される、印刷用シートであって、透明シートの上に不織布シートが積層されており、該不織布シート上にインク受容層が設けられていることを特徴とする印刷用シートが提供される。
【００１２】
本発明の印刷用シートにおいては、以下の態様が好ましい。
（１）前記不織布シートが、熱による全面接着によって芯鞘繊維同士が結合した不織布シートである。
（２）前記芯鞘繊維が、ポリプロピレンを芯材とし且つポリエチレンを鞘材とする芯鞘繊維である。
（３）前記不織布シートが、湿式不織布シートである。
（４）前記インク受容層に、半固化状の漆喰前駆体が含まれている。
【００１３】
また、本発明によれば、光源パネル上に保持されて使用されるディスプレイ用印刷物において、印刷用シートの印刷面にインクジェット像が形成された印刷シートを複数枚有し、該複数枚の印刷シートが、隣接する印刷シート同士で印刷面と裏面が対面するように積層され、最下層に位置する印刷シートの裏面が前記光源パネル側に向いており、少なくとも最上層に位置する印刷シートが、前記した本発明の印刷用シートを用いた印刷シートであることを特徴とするディスプレイ用印刷物も提供される。
【００１４】
本発明のディスプレイ用印刷物においては、最下層に位置する印刷シートに形成されたインクジェット像の明度が最も高く、最上層に位置する印刷シートに形成されたインクジェット像の明度が最も低いことが好ましい。
【００１５】
本明細書において「透明」とは、１．０ｍｍ以上の厚みで可視光に対する光線透過率（ＪＩＳ  Ｋ  ７３６１に準拠、積分球式光線透過率測定装置で測定）が９０％以上であることを意味する。
【００１６】
「明度」は、具体的に、Ｌ＊ａ＊ｂ＊表色系における明度Ｌ＊を意味する。明度は、分光色差計、例えば日本電色工業株式会社製ＮＦ５５５を用いて測定することができる。インクジェット像同士や印刷像同士で明度を比較する場合、特に断りが無い限り、標準白色板を試験片の裏側にセットした状態で像の中で最も明度の高い部分を比べるものとする。
【発明の効果】
【００１７】
本発明の印刷用シートは、次のようにして使用される。まず、モデルの顔写真等の印刷対象画像をインクジェット印刷し、印刷シートを得る。そして、同じ印刷対象画像、あるいは、明度以外は同じ印刷対象画像が印刷された別の印刷シートを少なくとも１枚用意し、かかる別の印刷シートの印刷面上に、本発明の印刷用シートから得られた印刷シートを積層して、ディスプレイ用印刷物を得る。得られた印刷物を光源パネル上に保持する。
【００１８】
このようにして印刷物の裏面から光を照射すると、図１に示されているように、明度の高い部分（図１では人の顔）では表側まで多くの光が透過し、明度が低い部分ほど光が透過しづらくなる。そのため、見る者の目に、明度の高い部分からは透過光と反射光の両方が入り、明度の低い部分からは反射光が入り、総合的に多くの反射光と少しの透過光が入ることとなる。よって、先願の印刷物と同じ原理により脳が活性化し、掲載情報が見る者の印象に残りやすい。
【００１９】
更に、光の透過により、かかる印刷物では、明るい色の部分は本来の色の明るさ（裏面から光を照射していない状態での色の明るさ）を超えて視認され、例えば白い部分はより白く視認されるので、印刷物全体のダイナミックレンジ（輝度差）が広がり、遠近感や立体感が強調される。美しい肌は、照明が当たると多くの光を反射する。また、人間の骨格は様々な凹凸を有し、例えば顔であれば、頬骨、鼻筋、おでこなどが突出しており、突出部分は光を反射する一方で、その周辺には影ができる。このように、実物の人間の有するダイナミックレンジは非常に広い。本発明では、表現できるダイナミックレンジが広いので、光源パネル上に保持したときの印刷物のダイナミックレンジを、実物のそれに近づけ、実物を見ているかのような印象を人々に与えることが可能である。
【００２０】
更にまた、本発明では必ず不織布シートを使用しているが、不織布シートには光の拡散効果があることから、本発明の印刷用シートにインクジェット印刷を施して得られるインクジェット像は、深みのある情緒的な画像となる。そして、全面熱接着によって芯鞘繊維同士が結合した不織布シートを用いると、本発明の印刷用シートに顔写真等を印刷したとき、人肌のリアリティと美しさの両方を再現できる。
【００２１】
加えて、かかる印刷シートが最上位に位置するように複数の印刷シートを重ねて得られる印刷物は、ある程度の厚みを有しており、また、インクジェット像の位置に極僅かにずれが生じたり、印刷シート同士が僅かに離れていたりしている。これによって、かかる印刷物では、表側から入射する自然光や屋内照明等の光と、裏側からの照射光の両方が複雑な挙動を示し、１枚だけの印刷シートからなる印刷物では実現しえない、更に深みが増して情緒的な印刷像を形成する。このように、美観の点でも、本発明の印刷用シートを利用した印刷物では、印刷像が印象に残りやすい。
【００２２】
また、透過光だけでなく反射光も目に入ることで、脳が見たものを実物と認識しやすい状況を作り、且つ、バックライトの存在を意識させずに自然な印象を与えるという利点も生じる。
【００２３】
かくして本発明の印刷用シートに印刷対象画像をインクジェット印刷して印刷シートとし、これを他の印刷シート上に積層して光源パネル上に保持したとき、まるで実物を見ているかのような印象を人々に与え、且つ、その印象が人々の記憶に残りやすい。
【図面の簡単な説明】
【００２４】
【図１】本発明のディスプレイ用印刷物の効果を説明するための概略図である。
【図２】本発明のディスプレイ用印刷物の構造の一例を示す概略断面図である。
【発明を実施するための形態】
【００２５】
＜印刷用シート＞
本発明の印刷用シートは、透明シートの上に不織布シートが積層されており、該不織布シート上にインク受容層が設けられた構造を有する。
【００２６】
透明シートは、任意の材質からなってよく、具体的には以下の樹脂からなる樹脂製シートを用いることができる。
ビニル樹脂、例えばポリビニルアルコール、ポリ酢酸ビニル等；
アクリル樹脂、例えばポリ（メタ）アクリレート等；
ポリオレフィン樹脂、例えばポリエチレン、ポリプロピレン等；
ポリエステル樹脂、例えばポリエチレンテレフタレート等；
耐熱性や耐薬品性等の観点から、ポリエステル樹脂が好ましい。
【００２７】
透明シートの平均厚みに特に制限はないが、透明性の確保と強度のバランスの観点から、一般には、０．1〜２．０ｍｍが好ましい。
【００２８】
透明シート上には不織布シートを積層する。不織布シートは、光の拡散効果を有するので、印刷用シートに印刷を施したとき、得られるインクジェット像は深みを有し、情緒的な像となる。
【００２９】
不織布シートを構成する繊維として、相対的に高融点の樹脂からなる芯と、かかる芯を包接し相対的に低融点の樹脂からなる鞘とで構成される芯鞘繊維が好ましく、ポリプロピレンを芯材とし且つポリエチレンを鞘剤とする芯鞘繊維がより好ましい。
【００３０】
芯鞘繊維同士は、接着剤を用いるケミカルボンド法や、熱カレンダーロール、熱風、超音波、スチームジェット等により溶融接着するサーマルボンド法によって結合されてよく、あるいは、高圧水流を用いたウォータージェットによって繊維間を交絡させて乾燥させる水流交絡法や、特殊な針で繊維を機械的に絡合させるニードルパンチ法、ウェブを鈎針で編むステッチボンド法といった機械的結合により結合されてよいが、サーマルボンド法で結合されていることが好ましく、熱カレンダーロールを用いるカレンダー法で結合されていることが特に好ましい。カレンダー法は、表面が平滑な２本のロールを用いる全面接着法（エリアボンド法とも言う。）、彫刻されたロールと平滑な表面ロールを用いる点接着法（ポイントボンド法とも言う。）、表面に彫刻のある加熱金属ロールとそれに相応する牝型のフェルトロールを用いるエンボス法の３つに分類される（不織布活用のための基礎知識、篠原俊一等、日刊工業新聞社、２０１２年４月１日発行）。印刷用シート表面に人肌のような印象や質感が得られる観点から、全面接着法が好ましい。
【００３１】
詳述すると、人肌の表面には、皮溝（ｓｕｌｃｕｓ  ｃｕｔｉｓ）と呼ばれる小さな溝が多数刻まれている。皮溝には、深いものと浅いものがある。浅い皮溝で囲まれた小さな隆起を皮丘（ｃｒｉｓｔａ  ｃｕｔｉｓ）という。いくつかの皮丘が深い皮溝によって囲まれて多角形の皮野（ａｒｅａ  ｃｕｔａｎｅａ）が形成されている（あたらしい皮膚科学第２版  清水宏  中山書店  参照）。健康な肌では皮溝の幅が狭く、皮丘が規則正しい形（一般に三角形と言われている）となっている。そのため、健康な肌に光が当たると多くの光が反射し、人々はこれを美しい肌と認識する。
【００３２】
仮に種類を問わず不織布シートを用いて印刷用シートを製造し、顔写真を印刷して他の印刷シートの上に積層し、光源パネル上に保持したとき、光源パネルからの透過光の効果によりダイナミックレンジが光照射前より広くなり、また、不織布シートの光の拡散効果により、印刷像に深みや情緒が付与される。そのため、不織布シートを使用する限り印刷された顔写真の肌をそれなりには立体的で美しく表現することができる。しかし、芯鞘繊維同士が全面熱接着で結合した不織布シートは、熱融着により繊維同士が均一に結合しており、鞘の形は溶融により変わっても、芯の形は残っている。加えて、その表面は熱融着されたことにより毛羽立ちがなく、ロール跡もなく、且つ自然な風合が得られている。そのため、かかる不織布シートに後述のインク受容層形成用スラリーを塗布すると、形成されるインク受容層の内部においては、繊維が皮溝のように重なり合っており、繊維で囲まれた領域にスラリーが入り込んで皮丘のようになる。かかるインク受容層を有する印刷用シートに裏面から光を当てると、繊維のあるところと無いところで光の透過量や挙動が異なり、人肌のような印象や質感が表れるのである。よって、これに顔写真等を印刷すると、人々は肌の美しさやリアリティを特に感じることとなる。
【００３３】
更に、不織布シートは、繊維同士の絡ませ方の観点から、湿式不織布シート、乾式不織布シート、スパンボンドに代表される紡糸直結型の不織布シートの３つに分類されるが、本発明に用いる不織布シートとしては、湿式不織布シートが好ましい。湿式不織布シートは、繊維を水中に均一に分散させてネット状に漉きあげたウェブを用いて形成される不織布シートであり、乾式不織布や紡糸直結型の不織布と比べて短い繊維（通常３〜５ｍｍ）が均一に分散しているウェブから得られる。そのため、湿式不織布シートを用いることにより、本発明の印刷用シートの表面は人肌により一層近くなり、印刷物としたときに、人肌の美しさやリアリティをますます感じられるようになる。
【００３４】
裏面から光を当てたときに表れる人肌の質感をより本物に近づけるという観点から、不織布シートを構成する繊維の平均繊維径は、５〜５０μｍ、特に１０〜３０μｍが好ましい。平均密度は、後述のインク受容層形成用スラリーを塗布する際のスラリーの含浸のしやすさと得られる印刷シートの人肌の質感のバランスから、０．１〜０．５ｇ／ｃｍ３、特に０．２〜０．４ｇ／ｃｍ３が好ましい。平均繊維径は、例えば、電子顕微鏡（ＥＦＩ社製、Ｑａｎｔａ２００．Ｇｅｎｅｓｉｓ２０００型）を用いて不織布シートの倍率１００倍の表面画像を撮影して測定することができる。また、平均密度は、不織布シートの平均厚さと単位面積当たりの平均質量から求めることができる。
【００３５】
不織布シートの目付量は、印刷用シートの強度と後述のインク受容層形成用スラリーの含浸しやすさのバランスの観点から、１０〜８０ｇ／ｍ２、特に２０〜５０ｇ／ｍ２が好ましい。
【００３６】
折り曲げられたときに不織布シートが破断したり、インク受容層が割れたりするのを防ぐため、不織布シートの引張強度は５〜２００Ｎ／２５ｍｍ、特に１０〜１５０Ｎ／２５ｍｍが好ましい。
【００３７】
不織布シートは、熱溶着性接着剤等の公知の接着剤により透明シート上に積層してよく、あるいは、接着剤を用いず直接透明シート上に載置して熱融着し、積層してもよい。
【００３８】
不織布シートの、透明シートとは反対側の表面には、必要に応じて親水化処理を施してよい。即ち、不織布シートがビニル樹脂やアクリル樹脂など水に対する親和性の高い樹脂からなる場合は、親水化処理を施さずそのままの状態でもインク受容層形成用スラリーやインクジェットインクの浸透に問題は生じないが、それ以外の樹脂から成る場合は、浸透性を高めるために親水化処理を施すことが好ましい。
【００３９】
親水化処理は、公知の方法により行えばよく、例えば、コロナ処理をしたり、界面活性剤や親水化処理液を塗布・乾燥すればよい。親水化処理液としては、例えば、ポリビニルアルコールを水とエタノールの混合溶媒に溶解させた溶液を挙げることができる。
【００４０】
本発明において、不織布シートの上には、インク受容層が形成されている。インク受容層は公知の組成を有していればよいが、特許第５０３９７０１号に記載されている、水酸化カルシウムを有し、この水酸化カルシウムの一部が空気中の炭酸ガスと反応して漆喰（炭酸カルシウム）となっている印刷層であることが好ましい。かかる印刷層を有する印刷用シートにインクジェット印刷を施すと、漆喰が有する光の拡散効果により、得られるインクジェット像がより一層深みのある像となり、その結果、かかる印刷シートを他の印刷シートに積層して得られる印刷物の印刷像も深みがあって情緒的な像となる。また、この層を空気中に放置して完全に固化させると、インク受容層表面は堅牢な炭酸カルシウム被膜で覆われるため、耐擦過性も向上する。
【００４１】
かかる好適なインク受容層は、消石灰（水酸化カルシウム）の粉末と水との混練物をインク受容層形成用スラリーとして不織布シート表面に塗布して形成される。即ち、かかるインク受容層は、消石灰の一部が炭酸化して炭酸カルシウムが存在する半固化状態の漆喰前駆体（消石灰と炭酸カルシウムとの混合物）を含む層である。かかる層を空気中に放置した場合、半固化状態の漆喰前駆体が空気中の炭酸ガスを吸収し、漆喰前駆体中の消石灰が炭酸ガスと反応して炭酸カルシウムを生成することにより、さらに固化が進行して漆喰を形成する。
【００４２】
インク受容層形成用スラリーを不織布シート上に塗布したとき、スラリーの一部は不織布シート内部に浸透するので、得られるインク受容層の一部は不織布シート内に含浸されている。
【００４３】
上述の半固化状態の漆喰前駆体を含むインク受容層においては、色落ちを防ぐため、漆喰前駆体中の水酸化カルシウムの割合が、１０重量％以上、特に１５重量％以上であることが好ましい。水酸化カルシウム量の上限に特に制限はないが、多すぎるとインク受容層の硬化が不十分となり、印刷工程中にインク受容層の破損等を生じ易くなるため、８５重量％以下、特に８０重量％以下とすることが好ましい。尚、インク受容層における水酸化カルシウムの割合は、中和滴定により確認することができる。
【００４４】
インク受容層における水酸化カルシウムの含有量の調整は、インク受容層の形成に用いる水酸化カルシウムの炭酸化率（インク受容層形成用スラリーの調製に用いた消石灰の重量に対し、生成した炭酸化カルシウムの重量割合を示す。）または後述するバインダー材、吸液性無機粉体などの添加剤の割合によって調整することができる。
【００４５】
上記調整方法のうち水酸化カルシウムの炭酸化率を調整する方法を採用する場合、炭酸化率の上限は、８０％、特に４０％が望ましい。炭酸化が過度に進みすぎた場合、インク受容層の表面が緻密化され、インクの浸透性が低下する傾向にあるからである。
【００４６】
インク受容層の靭性を向上させるために、インク受容層は、バインダー材としてポリマーのエマルジョン固形分を含有していることが好ましい。ポリマーのエマルジョンは、水媒体中にモノマー、オリゴマー或いはこれらの重合体等が分散したものであり、例えばアクリル樹脂、酢酸ビニル樹脂、ポリウレタン、スチレン／ブタジエンゴム系等の重合体のエマルジョンを挙げることができる。このようなエマルジョンは、乾燥工程で、媒体（水）が蒸発してエマルジョン中のポリマー成分がインク受容層中に残存することとなる。インク受容層におけるポリマーエマルジョンの固形分は、５〜５０重量％が好ましい。
【００４７】
また、インク受容層には、吸液性無機粉体等の公知の添加剤が配合されていてよい。
【００４８】
吸液性無機粉体は、インク受容層の吸液性やインクに対する親和性を補う場合に配合するとよい。具体的に、吸液性無機粉体は、多孔質であり、吸油量が１００ｍｌ／１００ｇ以上と高い、微細な無機粉末であり、例えばレーザ回折散乱法で測定される体積換算での平均粒径（Ｄ５０）が０．１μｍ以下のアルミナ粉末、ゼオライト粉末などである。吸液性無機粉体は、０．５〜１０重量％の量で配合されていることが好ましい。
【００４９】
インク受容層の厚みは、一般的には、不織布シートより厚いことを条件として、５０〜４００μｍ、特に７０〜３００μｍ程度の範囲が好適である。尚、インク受容層の厚みは、不織布シート裏面からインク受容層表面までの厚みを意味する。
【００５０】
半固化状態の漆喰前駆体を含むインク受容層は、不織布シートの透明シートとは反対側の表面に、消石灰の粉末と水との混練物に適宜バインダー材や吸液性無機粉体等を配合したスラリーを塗布し、必要に応じて塗布と同時に公知の保護シートを貼着し、適度に乾燥することにより形成される。
【００５１】
消石灰粉末の平均粒径は、インクの浸透性を維持しながら完全固化後のインク受容層に強度や耐久性を付与する観点から、０．１〜２．０μｍであることが好ましい。
【００５２】
スラリーは、適宜、界面活性剤や増粘剤、インク定着剤などが配合され、適度な粘度に調製されていることが好適である。スラリーの塗布は、バーコーター、ロールコーター、フローコーター、ナイフコーター、コンマコーター、スプレー、ディッピング、吐出、型材転写等により行うことができ、必要に応じてコテ押さえ、口金絞り、ローラ転圧、１軸プレス等を採用することができる。
【００５３】
スラリーの塗布厚みは、乾燥後の厚みが前述したインク受容層の厚みとなるように設定される。また、スラリー塗布後の乾燥は、インク受容層の含水率が５％以下となる程度に行えばよい。乾燥は、熱風の吹き付けなどにより、スラリーの塗布層を４０〜１５０℃程度に加熱することにより行われる。
【００５４】
尚、水酸化カルシウム（消石灰）の炭酸化反応は炭酸ガスとの接触により反応が進行するため、本発明の印刷用シートを非通気性の袋や容器等に密封状態で保存している限り、所定の炭酸化率を維持し、インク受容層中の水酸化カルシウム量を一定の範囲に保持する上で支障を生じることはない。
【００５５】
＜印刷物＞
本発明では、パソコンで編集・作成された画像、手描き画像、カメラ（スマートフォン等のカメラ機能付デバイスやデジタルカメラを含む。）で撮影された画像またはこれらの組み合わせを印刷対象画像とする。かかる印刷対象画像が本発明の印刷用シートのインク受容層表面（印刷面）にインクジェット印刷される。得られた印刷シートは、同じ印刷対象画像または明度以外は同じ印刷対象画像が印刷された他の印刷シート上に積層されてディスプレイ用印刷物を形成する（以下、本発明の印刷物と呼ぶことがある。）。本発明の印刷物では、隣接する印刷シート同士で印刷面と裏面が対面するように積層され、最下層に位置する印刷シートの裏面が光源パネル側に向いている。本発明の印刷用シートを用いた印刷シートは最上層に位置している。
【００５６】
以下、図１および図２を参照し、本発明の印刷物の実施形態を説明する。１で示される実施形態の印刷物は、２枚の印刷シート２ａ、２ｂを有している。光源パネル１０側に位置する方が下側印刷シート２ａであり、その上に位置する方が上側印刷シート２ｂである。印刷シート２ａ、２ｂは、印刷用シートの印刷面にインクジェット印刷により、それぞれインクジェット像３ａ、３ｂが形成されたシートである。印刷シート２ａ、２ｂは、下側印刷シート２ａの印刷面と上側印刷シート２ｂの裏面が対面するように積層されており、下側印刷シート２ａの裏面が光源パネル１０側に向いている。
【００５７】
本発明においては、上側印刷シート２ｂに、上述の本発明の印刷用シートに印刷を施した印刷シートを用いることが大切である。これにより、不織布シートの効果や適宜形成される漆喰の光拡散効果により、印刷像を深みがあって情緒的なものにすることができ、また、不織布の種類によっては本物の人肌を見ているかのような感覚を鑑賞者に与えるからである。
【００５８】
一方、下側印刷シート２ａは、本発明の印刷用シートに印刷を施した印刷シートでもよく、公知の印刷シートでもよい。最終的に得られる印刷像を目立たせて広告等の商業用途で有利なものとしたい場合は、樹脂製シート乃至フィルムに印刷を施した印刷シートを用いることが好ましい。印刷像におけるダイナミックレンジをより一層広げやすいからである。印刷像に柔らかい印象を与えたり、芸術性を高める場合は、和紙等のパルプ紙、合成紙、織布または不織布を用いた印刷用シート（本発明の印刷用シートを含む）に印刷を施した印刷シートが好ましく、パルプ紙に印刷を施した印刷シートが特に好ましい。
【００５９】
インクジェット印刷は公知の方法により行えばよい。即ち、印刷対象画像を、必要に応じて公知の画像編集ソフト、例えばアドビシステムズ株式会社製Ａｄｏｂｅ  Ｐｈｏｔｏｓｈｏｐ  ＣＳ６（登録商標）（以下、これをフォトショップと略称することがある。）で明度調整し、公知のインクジェットプリンタで印刷すればよい。プリンタとしては非接触式のものが好ましい。
【００６０】
上側印刷シート２ｂに設けられる上側インクジェット像３ｂは、印刷対象画像そのものを印刷したものであってよく、あるいは、印刷対象画像を所望の明度に調整した画像を印刷したものであってもよい。以下、上側インクジェット像３ｂ用の画像を上側用画像と呼ぶことがある。
【００６１】
上側インクジェット像３ｂを有する印刷シート２ｂにおいて、最も明度の高い部分と最も明度の低い部分の明度差は大きい方が好ましく、具体的には、裏側から光が当たっていない状態で、明度差がＬ＊値で５５以上、特に６５〜９０であることが好ましい。インクジェット像の明度差を大きくすると、通常、付随して輝度差も大きくなり、印刷シート裏面から光を照射したときには、さらに輝度差も大きくなる。これにより立体感や奥行感などを特に向上させることができる。
【００６２】
下側印刷シート２ａに設けられる下側インクジェット像３ａの形成には、上側用画像と同じ画像を用いてもよいが、最終的に得られる印刷像において最も明度が高い部分と最も明度が低い部分の明度差が大きくなり、脳活性化効果が最大限に発揮されるという観点から、上側用画像よりも明度が高い画像を用いることが好ましい。これにより、本発明の印刷物１において、下側インクジェット像３ａの明度は上側インクジェット像３ｂの明度と同じかそれより高くなる。以下、下側インクジェット像３ａ用の画像を下側用画像と呼ぶことがある。
【００６３】
上側用画像より明度の高い下側用画像を得るには、例えばフォトショップ等の公知の画像編集ソフトを用い、上側用画像の上に不透明度５〜８０％の白色レイヤー（白さ１００％）を重ねるという方法がある。あるいは、上側用画像の明度の高い部分を選択的に消しゴムツールで消してもよい。
【００６４】
上側インクジェット像３ｂと下側インクジェット像３ａの具体的な明度差は、明度が最も高い部分同士の差で表され、印刷対象画像の内容や用途等に応じて適宜決定されるが、一般に、かかる明度差が４以上、特に６〜１２であることが好ましい。更に、明度が最も低い部分同士を比べたときの差が２以上、特に４〜１０であることがより好ましい。明度差が上記範囲内であるとき、透過光と反射光のバランスがちょうどよいからである。
【００６５】
印刷後の印刷シート２は、光透過性を有していることが好ましく、具体的には、可視光に対して明度が最も高い部分では４０％以上、特に６０％以上の光線透過率（ＪＩＳ  Ｋ  ７３６１に準拠、積分球式光線透過率測定装置で測定）を有することが好ましい。更に、明度が最も低い部分では２０％以下、特に１０％以下の光線透過率を有することがより好ましい。この光線透過率は、試験片の印刷面の裏側に光線を照射した時の全入射光に対する全透過光の割合のことを意味し、全透過光には拡散透過光と平行透過光とが含まれる。明度が最も低い部分の光透過率が高すぎると、反射光による脳活性化効果が薄れる虞がある。また、明度が最も低い部分において光源パネル１０から発せられる光が印刷物１を透過すると、人の目には印刷物は薄いフィルムであると認識され、印刷像のリアリティが低下する虞がある。
【００６６】
印刷シート同士を積層するにあたっては、ビスや釘等の物理的手段により固定してもよいが、作業性の高さの観点から、図２に示されているように粘着材層４を介在させて化学的に固定することが好ましい。粘着材層４に使用する粘着材に特に制限はなく、エポキシ樹脂、尿素樹脂、フェノール樹脂、ビスマレイミド樹脂、ポリイミド樹脂等の熱硬化性樹脂、（メタ）アクリル酸、（メタ）アクリレートなどの（メタ）アクリル系粘着材、或いは（メタ）アクリル酸や無水マレイン酸等の不飽和カルボン酸で変性した酸変性オレフィン系樹脂などの熱溶着性樹脂等、適宜のものを使用することができる。裏面からの光の透過を損なわないという観点から、透明な粘着材を用いることが好ましい。
【００６７】
粘着材層４は粘着材を溶媒に溶かしてから塗布する方法で形成しても良いが、作業性に優れ、仕上がりもきれいなので、粘着材を両面に塗布したポリエステルなどの透明フィルムを離型紙で挟んだ両面粘着シートを用いて形成することが好ましい。
【００６８】
粘着材層４は、任意の位置に設ければよいが、下側印刷シート２ａと上側印刷シート２ｂの接触面全体に設けることが好ましい。印刷シート間に適度な隙間を設け、表側および裏側から入る光が乱反射、屈折等を起こして複雑に透過するようにし、深みのある印刷像を得ることができるからである。粘着材層４の厚みは特に制限されないが、平均厚みが０．０２〜１．００ｍｍであることが好ましい。
【００６９】
本発明の印刷物１は、上記した基本構造を有するという条件の下、種々の態様を採ることができる。
【００７０】
例えば、上側印刷シート２ｂの上に公知の透明樹脂からなる保護層を設けてもよい。
【００７１】
また、下側印刷シート２ａおよび上側印刷シート２ｂ以外に更に印刷シートを積層してもよく、即ち、３枚以上の印刷シートを有してもよい。３枚以上の印刷シートは、印刷シートが２枚の場合と同様に、隣接する印刷シート同士で印刷面と裏面が対面するように積層され、最下層に位置する印刷シートの裏面が光源パネル側に向いている。また、最上層に位置する印刷シートとして上述の本発明の印刷用シートに印刷を施したものが使用されている限り、それ以外の印刷シートには、公知の印刷用シートに印刷を施したものが用いられてもよく、本発明の印刷用シートに印刷を施したものが用いられてもよい。
【００７２】
このとき、製造方法や各印刷シートの構成、積層構造等の詳細な態様も、印刷シートが２枚の場合と同じである。
【００７３】
例えば各印刷シートに形成されるインクジェット像の明度に関しては、最下層に位置する印刷シートに形成されたインクジェット像の明度が最も高く、最上層に位置する印刷シートに形成されたインクジェット像の明度が最も低いことが好ましい。最下層に位置する印刷シートに形成されたインクジェット像の明度が最も高く、上層になるほど明度が低くなり、最上層に位置する印刷シートに形成されたインクジェット像の明度が最も低いことが特に好ましい。尚、この場合の明度差も、前記と同様、標準白色板を使用した状態での最も明度の高い部分同士の差で評価するものとする。
【００７４】
本発明の印刷物１においては、透過光と反射光のバランスの観点から、明度が最も高い部分で４０％以上、特に６０％以上の光線透過率であることが好ましい。更に、明度が最も低い部分では２０％以下、特に１０％以下の光線透過率であることがより好ましい。
【００７５】
また、本発明の印刷物１の平均厚みは、０．１〜５．０ｍｍ、特に０．３〜２．０ｍｍが好ましい。平均厚みが上記数値範囲に含まれるとき、透過光・反射光のバランスを保ちながらも、強度や印刷像のリアリティ等も高めることができ、商品価値の高い印刷物が得られるからである。
【００７６】
本発明の印刷物は、光源パネル上に保持されて利用に供される。光源パネルとしては、特に制限されず公知のものを各種用いることができるが、一般的には、多数のＬＥＤを配列した面状ＬＥＤパネルを用いることが好ましい。面状ＬＥＤパネルの輝度は、透過光と反射光のバランスの観点から、５００〜５０００ｃｄ／ｃｍ２が好ましく、特に８００〜４０００ｃｄ／ｃｍ２がより好ましい。面状ＬＥＤパネルの輝度が高すぎると、印刷物の明度が最も低い部分において透過光が多くなり、画像のリアリティが失われる虞がある。面状ＬＥＤパネルの輝度が低すぎると、印刷物の明度が最も高い部分の透過光が少なくなり、反射光のみの画像となり、立体感や奥行が発揮されない虞がある。
【００７７】
本発明の印刷物を光源パネル上に保持してディスプレイを作成し、裏面側から光を照射すると、人々は、下側インクジェット像３ａと上側インクジェット像３ｂが重なりあってできる印刷像を視認する。かかる印刷像において、明度の低い箇所からは主に反射光が、明度の高い箇所からは反射光と透過光が、人々の目に入っていく。また、裏面からの光照射により、照射前と比べて印刷物における輝度差が増大し、即ち、ダイナミックレンジも広くなる。更に、不織布シートの効果および適宜形成される漆喰の光拡散効果により、印刷像は深みがあって立体的である。特に全面熱接着により芯鞘繊維が結合した不織布シートを用いた場合には、人物写真を印刷した時により一層本物のように見える。その結果、かかるディスプレイは、まるで実物を見ているかのような印象を人々に与えて彼らの注意を惹きつける一方で、脳を活発に活動させるので、掲載情報がより多くの人の印象に残る。そのため、本発明は、コルトンに代表される内照式ディスプレイに適用される。
【００７８】
本発明は、特に人物写真を、リアリティを以て美しく表現することができるので、百貨店の化粧品売場等で好適に利用される。
【００７９】
更に、化粧品業界以外に、例えば、宝飾品業界でも本発明は好適に適用される。というのも、本発明の印刷物が、透過光の効果によりダイナミックレンジを拡大できる点や、不織布シートの光拡散効果等により印刷像に深みを付与する点は、宝石の輝きに起因する広いダイナミックレンジや光の複雑な挙動、立体感等を再現するのにも適しているからである。
【００８０】
更にまた、本発明の印刷物は、写真や絵画の制作や複製に適用することができ、臨場感や迫真性を表現したり、鑑賞者の情感に訴えかけることができる、これまでにない新しい作品を実現することもできる。
【実施例】
【００８１】
本発明の優れた効果を、次の実施例で説明する。以下に、実施例で用いた各試験評価方法および材料を示す。
【００８２】
＜リアリティ、奥行き感および印象の評価方法＞
実施例および比較例で得られたディスプレイ用印刷物を、下側印刷シートの裏面が光源パネル側になるようにして、光源パネル（ＦＲＥＥＳＨＩＮＥ社製、商品名：ＬＥＤアクリルパネル、有効画面寸法：２８５×４０６ｍｍ、色温度：６０００Ｋ、照度：約４０００Ｌｘ）上に設置し、目視観察で画像（背景を含む人物写真）のリアリティ、奥行き感および印象を下記基準に従って評価した。
（１）画像のリアリティの評価
Ａ：印刷画像は鮮明で人物全体も肌もリアリティは非常に良好である。
Ｂ：印刷画像は鮮明で人物全体も肌もリアリティは良好である。
Ｃ：印刷画像は鮮明で、人物のリアリティは良好であるが、肌のリアリティは十分ではない。
Ｄ：印刷画像は鮮明であるが人物も肌もリアリティが十分ではない。
（２）画像の奥行き感の評価
Ａ：印刷画像の奥行き感は非常に優れている。
Ｂ：印刷画像の奥行き感は優れている。
Ｃ：印刷画像の奥行き感は十分ではない。
（３）画像の印象の評価
Ａ：印刷画像が強く印象に残っている。
Ｂ：強くはないが、印刷画像が印象に残っている。
Ｃ：印刷画像が印象に残っていない。
【００８３】
＜輝度の測定方法＞
照度５００ルクス下において、ディスプレイ用印刷物を、下側印刷シートの裏面が光源パネル側になるようにして、光源パネル（ＦＲＥＥＳＨＩＮＥ社製、商品名：ＬＥＤアクリルパネル、有効画面寸法：２８５×４０６ｍｍ、色温度：６０００Ｋ、照度：約４０００Ｌｘ）上に設置し、輝度計（コニカミノルタジャパン社製、型番：ＬＳ−１５０、ＤＩＮ  ５０３２−７  Ｃｌａｓｓ  Ｂ  準拠）にて、光源パネルの点灯時と消灯時における最明部および最暗部の輝度を測定した。
尚、本実施例および比較例で使用した、背景を含む人物写真の場合、明度が最も高い最明部において輝度も最も高かった。また、明度が最も低い最暗部において輝度も最も低かった。
【００８４】
＜明度の測定方法＞
画像を印刷した印刷シートの裏側に硫酸バリウム製の標準白色板を配置した状態で分光色差計（日本電色工業社製、型番：ＮＦ５５５）によりＬ＊ａ＊ｂ＊表色系におけるＬ＊値を測定し明度とした。
【００８５】
＜光線透過率の測定方法＞
ＪＩＳ  Ｋ  ７３６１に準拠し、裏面側から光が照射されるように試験片（ディスプレイ用印刷物）を設置し、積分球式光線透過率測定装置で測定した。
【００８６】
＜材料＞
（Ａ）基材シート：
基材シートＡ：透明ポリエステルフィルム（東洋紡株式会社製、品名：東洋紡エステルフィルム、品番：Ｅ５１００（片面コロナ処理）、厚さ：１００μｍ）
基材シートＢ：透明ポリプロピレンフィルム（サントックス製、商品名：サントックス‐ＯＰ、品番：ＰＡ２１（片面コロナ処理）、厚さ：６０μｍ）
基材シートＣ：白色ポリエステルフィルム（東レ製、商品名：ルミラー、品番：Ｅ２８Ｇ（両面コロナ処理）、厚さ：１２５μｍ）
（Ｂ）不織布シート：
不織布Ａ：熱による全面接着法で繊維同士を結合させた湿式不織布（廣瀬製紙製、品番：ＨＯＰ−３０Ｈ、平均厚み：０．１１ｍｍ、目付量：３０ｇ／ｍ２、素材：ポリプロピレン（芯材）＋ポリエチレン（鞘材））
不織布Ｂ：熱による全面接着法で繊維同士を結合させた湿式不織布（廣瀬製紙製、品番：ＨＯＰ−１５Ｈ、平均厚み：０．０６ｍｍ、目付量：約１５ｇ／ｍ２、素材：ポリプロピレン（芯材）＋ポリエチレン（鞘材））
不織布Ｃ：熱によるエンボス法で繊維同士を結合させたスパンボンド法不織布（ユニチカ製、品番：Ｓ０３０３ＷＤＯ、平均厚み：０．２３ｍｍ、目付量：約３０ｇ／ｍ２、素材：ポリエステル（芯材）＋ポリエチレン（鞘材））
（Ｃ）インクジェット用バックライトフィルム：
ＩＪフィルムＡ：インクジェット用バックライトフィルム（フォーレックスイメージング製、品番：ＦＪＢＬ−１０Ａ３、厚み：０．１２ｍｍ、構成：ポリエステルフィルムの片面にインクジェット受容層を積層）
（Ｄ）粘着材：
粘着材Ａ：両面粘着フィルム（リンテック製、商品名：タックライナーＴＬ−４１ＭＳ−０６Ｋ、厚み：０．０３ｍｍ、粘着力：９．８Ｎ／２５ｍｍ、構成：ポリエステルフィルムの両面にアクリル系粘着材を塗工、１．０ｍｍ厚み換算での光線透過率：９５％）
（Ｅ）無機粉体：
水酸化カルシウムＡ：微粒水酸化カルシウム（トクヤマ製、品名：カルセッター、粒子径：通過分積算分布のメディアン径（ｄ５０）：０．２４μｍ、固形分濃度：４５質量％）
（Ｆ）水不溶性無機粉体：
水不溶性無機粉体Ａ：合成ホワイトパールマイカ（ＣＱＶ社製、品番：Ｒ−９００Ｍ、粒子径：３〜１７μｍ）
（Ｇ）有機バインダー：
有機バインダーＡ：水性アクリル樹脂エマルジョン（旭化成工業株式会社製、商品名：ポリトロン１４８５、固形分濃度：４０質量％）
有機バインダーＢ：ポリビニルアルコール（和光純薬工業製、品名：ポリビニルアルコール５００、重合度：５００）
（Ｈ）添加剤
インク定着剤Ａ：水溶性第四級アンモニウム塩ポリマー（センカ製、製品名：パピオゲンＰ−１０５、固形分濃度：６０質量％）
【００８７】
［実験例１］
図２に示される印刷物を次の方法に従って製造した。
（基材シートと不織布シートの張り合わせ）
７５０ｍｍ×５５０ｍｍの大きさの不織布Ａを７５０×５５０ｍｍの大きさの基材シートＡのコロナ放電処理された側の全面に粘着材Ａを用いて接着し、不織布Ａを積層した基材シートＡを得た。
【００８８】
（親水化剤の塗工）
有機バインダーＢ２質量部を水１２０重量部に撹拌させて完全に溶解し、その後エタノール７０質量部を加え十分に撹拌し、親水化剤Ａを得た。
次に、不織布Ａを積層した基材シートＡの不織布側全面に親水化剤Ａをハケで塗工した。このときの親水化剤Ａの塗工量は３ｇ／ｍ２であった。
その後、７０℃の乾燥機中で１０分間乾燥させ、印刷用シート前駆体Ａを得た。得られた印刷用シート前駆体Ａの平均厚みは２６０μｍであった。
【００８９】
（インク受容層の形成）
有機バインダーＡ４００質量部、水酸化カルシウムＡ１００質量部、水不溶性無機粉体Ａ２０質量部、添加剤としてインク定着剤Ａ２０質量部、および水９０質量部を秤取り、ミキサーで５分間撹拌し、インク受容層形成用スラリーＡを得た。
得られたインク受容層形成用スラリーＡを、Ａ２サイズにカットした印刷用シート前駆体Ａの不織布側の表面にドクターナイフコーターで均一にコートし、送風乾燥機中に入れ７０℃で２０分間乾燥させ、インク受容層を有する印刷用シートＡを得た。得られた印刷用シートＡのインク受容層（漆喰）の平均厚みは１３５μｍであった。
【００９０】
（上側用画像データおよび下側用画像データ作成の準備）
背景を含む人物の写真データをパソコンに取り込み、これをフォトショップで開き、フォトショップのコマンドを使って色調調整およびトーンカーブ調整を行い、それを背景レイヤーとし、その上に白色レイヤー（白さ１００％）を作成して重ね、その白色レイヤーの不透明度が調整できるようにして、上側用画像データおよび下側用画像データを得るための画像データとした。
【００９１】
（上側インクジェット像３ｂの形成）
上記の画像データにおいて、その白色レイヤーの不透明度を０％に調整した上側用画像データをセイコーエプソン社製のインクジェットプリンタ（品番：ＰＸ−Ｈ１００００、顔料が分散された水性インクを使用）を用いて、印刷用シートＡに印刷し、２時間室温にて静置してインクを定着させ、上側インクジェット像３ｂを表面に有する上側印刷シートＡ２ｂを得た。
表１に示すように、この上側印刷シートＡ２ｂの平均厚さは、２８５μｍであった。明度が最も高い部分（最明部）の明度はＬ＊＝７３であり、明度が最も低い部分（最暗部）の明度はＬ＊＝９であった。
【００９２】
（下側インクジェット像３ａの形成）
上記の画像データにおいて、その白色レイヤーの不透明度を２５％に調整した下側用画像データを用いインクジェットプリンタにより、印刷用シートＡに印刷し、２時間室温にて静置してインクを定着させ、下側インクジェット像３ａを表面に有する下側印刷シートＡ２ａを得た。
表１に示すように、この下側印刷シートＡ２ａの平均厚さは、２８９μｍであった。最明部の明度はＬ＊＝８４であり、最暗部の明度はＬ＊＝１５であった
【００９３】
（ディスプレイ用印刷物１の形成）
上記のようにして得られた下側印刷シートＡ２ａの印刷面と、上側印刷シートＡ２ｂの裏面を、粘着材Ａを用いて全面を接着させ、ディスプレイ用印刷物Ａを得た。
得られたディスプレイ用印刷物Ａの平均厚さは、０．６２ｍｍであった。また、最明部の光線透過率は６２％であり、最暗部の光線透過率は５％であった。
【００９４】
（印刷物の評価）
このようにして得られたディスプレイ用印刷物Ａについて、リアリティ、奥行き感および印象の評価を行った。また、光源パネルの点灯時と消灯時における最明部および最暗部の輝度を測定した。その結果を表２および表３に示す。
【００９５】
［実験例２］
実験例１において、不織布Ａを不織布Ｂに代えた以外は同様の操作を行い、下側印刷シートＢ２ａと上側印刷シートＢ２ｂを得た。
この下側印刷シートＢ２ａと上側印刷シートＢ２ｂについて平均厚さ、最明部の明度、最暗部の明度を測定し、その結果を表１に示す。
次に、上側印刷シートＢ２ｂの裏面と下側印刷シートＢ２ａの印刷面とを粘着材Ａを用いて全面を接着させ、ディスプレイ用印刷物Ｂを得た。得られたディスプレイ用印刷物Ｂの平均厚さ、最明部の光線透過率、最暗部の光線透過率を測定し、結果を表２に示す。
さらに、ディスプレイ用印刷物Ｂについて、リアリティ、奥行き感および印象の評価を行い、その結果を表２に示す。
また、光源パネルの点灯時と消灯時における最明部および最暗部の輝度を測定し、その結果を表３に示す。
【００９６】
［実験例３］
実験例１において、基材シートＡを基材シートＢに代えた以外は同様の操作を行い、下側印刷シートＣ２ａと上側印刷シートＣ２ｂを得た。
この下側印刷シートＣ２ａと上側印刷シートＣ２ｂについて平均厚さ、最明部の明度、最暗部の明度を測定し、その結果を表１に示す。
次に、上側印刷シートＣ２ｂの裏面と下側印刷シートＣ２ａの印刷面とを粘着材Ａを用いて全面を接着させ、ディスプレイ用印刷物Ｃを得た。得られたディスプレイ用印刷物Ｃの平均厚さ、最明部の光線透過率、最暗部の光線透過率を測定し、結果を表２に示す。
さらに、ディスプレイ用印刷物Ｃについて、リアリティ、奥行き感および印象の評価を行い、その結果を表２に示す。
また、光源パネルの点灯時と消灯時における最明部および最暗部の輝度を測定し、その結果を表３に示す。
【００９７】
［実験例４］
実験例３において、不織布Ａを不織布Ｂに代えた以外は同様の操作を行い、下側印刷シートＤ２ａと上側印刷シートＤ２ｂを得た。
この下側印刷シートＤ２ａと上側印刷シートＤ２ｂについて平均厚さ、最明部の明度、最暗部の明度を測定し、その結果を表１に示す。
次に、上側印刷シートＤ２ｂの裏面と下側印刷シートＤ２ａの印刷面とを粘着材Ａを用いて全面を接着させ、ディスプレイ用印刷物Ｄを得た。得られたディスプレイ用印刷物Ｄの平均厚さ、最明部の光線透過率、最暗部の光線透過率を測定し、結果を表２に示す。
さらに、ディスプレイ用印刷物Ｄについて、リアリティ、奥行き感および印象の評価を行い、その結果を表２に示す。
また、光源パネルの点灯時と消灯時における最明部および最暗部の輝度を測定し、その結果を表３に示す。
【００９８】
［実験例５］
実験例１で得られた上側インクジェット像３ｂを表面に有する上側印刷シートＡ２ｂについて、光線透過率、リアリティ、奥行き感および印象の評価を行った。その結果を表２に示す。また、光源パネルの点灯時と消灯時における最明部および最暗部の輝度を測定し、その結果を表３に示す。
【００９９】
［実験例６］
実験例１において、不織布Ａを不織布Ｃに代えた以外は同様の操作を行い、下側印刷シートＸ２ａと上側印刷シートＸ２ｂを得た。
この下側印刷シートＸ２ａと上側印刷シートＸ２ｂについて平均厚さ、最明部の明度、最暗部の明度を測定し、その結果を表１に示す。
次に、上側印刷シートＸ２ｂの裏面と下側印刷シートＸ２ａの印刷面とを粘着材Ａを用いて全面を接着させ、ディスプレイ用印刷物Ｘを得た。得られたディスプレイ用印刷物Ｘの平均厚さ、最明部の光線透過率、最暗部の光線透過率を測定し、結果を表２に示す。
さらに、ディスプレイ用印刷物Ｘについて、リアリティ、奥行き感および印象の評価を行い、その結果を表２に示す。このとき、ダイナミックレンジの拡大効果、透過光/反射光の効果並びに不織布及び漆喰の効果は享受できていたのだが、スパンボンド法を採用しており且つエンボスパターンが印刷物Ｘ上に認識されていたため、リアリティの評価が低下した。
また、光源パネルの点灯時と消灯時における最明部および最暗部の輝度を測定し、その結果を表３に示す。
【０１００】
［実験例７］
実験例１において、基材シートＡを基材シートＣに代えた以外は同様の操作を行い、下側印刷シートＹ２ａと上側印刷シートＹ２ｂを得た。
この下側印刷シートＹ２ａと上側印刷シートＹ２ｂについて平均厚さ、最明部の明度、最暗部の明度を測定し、その結果を表１に示す。
次に、上側印刷シートＹ２ｂの裏面と下側印刷シートＹ２ａの印刷面とを粘着材Ａを用いて全面を接着させ、ディスプレイ用印刷物Ｙを得た。得られたディスプレイ用印刷物Ｙの平均厚さ、最明部の光線透過率、最暗部の光線透過率を測定し、結果を表２に示す。
さらに、ディスプレイ用印刷物Ｙについて、リアリティ、奥行き感および印象の評価を行い、その結果を表２に示す。
また、光源パネルの点灯時と消灯時における最明部および最暗部の輝度を測定し、その結果を表３に示す。
【０１０１】
［実験例８］
実験例１で得られた上側用画像データおよび下側用画像データをＩＪフィルムＡに印刷し、上側インクジェット像３ｂを有する上側印刷シートＺ２ｂと下側用印刷像３ａを有する下側印刷シートＺ２ａを得た。この下側印刷シートＺ２ａと上側印刷シートＺ２ｂについて平均厚さ、最明部の明度、最暗部の明度を測定し、その結果を表１に示す。
次に、上側印刷シートＺ２ｂの裏面と下側印刷シートＺ２ａの印刷面とを粘着材Ａを用いて全面を接着させ、ディスプレイ用印刷物Ｚを得た。得られたディスプレイ用印刷物Ｚの平均厚さ、最明部の光線透過率、最暗部の光線透過率を測定し、結果を表２に示す。
さらに、ディスプレイ用印刷物Ｚについて、リアリティ、奥行き感および印象の評価を行い、その結果を表２に示す。
また、光源パネルの点灯時と消灯時における最明部および最暗部の輝度を測定し、その結果を表３に示す。
【０１０２】
【表１】
2019089247.tif 000003
【０１０３】
【表２】
2019089247.tif 000004
【０１０４】
【表３】
2019089247.tif 000005
【符号の説明】
【０１０５】
１．ディスプレイ用印刷物、  ２．印刷シート、  ２ａ．下側印刷シート、  ２ｂ．上側印刷シート、  ３ａ．下側インクジェット像、  ３ｂ．上側インクジェット像、  ４．粘着材層、１０．光源パネル。
【図１】
2019089247.tif 000006
【図２】
2019089247.tif 000007